(57)【要約】【課題】使用者の詳細な嗜好データにより容易に使用者の嗜好する番組の予約録画ができる予約録画装置を提供する。【解決手段】制御情報記録回路１７内に、過去の番組データの電子番組ガイド（ＥＰＧ）情報データを格納する過去分ＥＰＧ情報部３１と、今後分ＥＰＧ情報データを格納する今後分ＥＰＧ情報部３２と、過去分ＥＰＧ情報データから抽出されたキーワードを格納する抽出キーワード部３６を有し、制御回路１４内に、過去分ＥＰＧ情報データからキーワードを抽出して過去分ＥＰＧ情報部３１に格納するキーワード抽出部２５と、今後分ＥＰＧ情報データからキーワードを検索するキーワード検索部２６と、今後分ＥＰＧ情報データからキーワードが一致した番組を検出するキーワード一致検出部２４と、キーワード一致検出部で検出された番組を予約録画する番組記録制御部２２を有する。【選択図】        図１
2004193943.tif 000002
【特許請求の範囲】
【請求項１】
受信した放送信号中から所定の番組データおよび所定の情報データを抽出する放送受信回路と、
前記放送受信回路で抽出された番組データを格納する番組データ記録回路と、
前記番組データ記録回路から出力された番組データを画像表示装置に出力する番組データ出力回路と、
前記放送受信回路で抽出された情報データ中の、番組データを予約録画するための制御情報を格納する制御情報記録回路と、
番組データを予約録画するための使用者の各種指示が入力される指示入力回路と、
前記各回路の動作を制御して使用者が希望する番組データを予約録画する制御回路とを有する番組予約録画装置であって、
前記制御情報記録回路は、
前記情報データ中の過去の番組データの電子番組ガイド（ＥＰＧ）情報データを格納する過去分ＥＰＧ情報部と、
前記情報データ中の今後の番組データのＥＰＧ情報データを格納する今後分ＥＰＧ情報部と、
過去分ＥＰＧ情報データから抽出されたキーワードを格納する抽出キーワード部と
を有し、
前記制御回路は、
前記過去分ＥＰＧ情報データから前記キーワードを抽出して前記過去分ＥＰＧ情報部に格納するキーワード抽出部と、
前記今後分ＥＰＧ情報データから前記キーワードを検索するキーワード検索部と、
前記今後分ＥＰＧ情報データから、前記キーワードが一致した番組を予約録画する番組として検出するキーワード一致検出部と、
該キーワード一致検出部で検出された番組を予約録画する番組記録制御部
を少なくとも有することを特徴とする番組予約録画装置。
【請求項２】
前記キーワード一致検出部は、前記キーワードが一致した番組を予約録画する番組の候補として検出し、
前記制御回路は、前記番組データ出力回路を介して前記予約録画番組の候補を画像表示装置に出力する出力制御部を有し、
前記番組記録制御部は、画像表示装置に出力された予約録画番組の候補中から、前記指示入力回路を用いて使用者に指示された番組を予約録画する
ことを特徴とする請求項１に記載の番組予約録画装置。
【請求項３】
前記キーワード検索部は、前記今後分ＥＰＧ情報データから前記キーワードを検索する処理について、前記過去分ＥＰＧ情報データから前記キーワードを抽出する処理を実施する前記キーワード抽出部を共用する
ことを特徴とする請求項１または２に記載の番組予約録画装置。
【請求項４】
前記制御情報記録回路は、
過去分ＥＰＧ情報データからキーワードを抽出するために、使用者にキーワードを提示して選択させるためのグラフィカル・ユーザ・インターフェース（ＧＵＩ）、および、使用者に指示された抽出を格納するキーワード抽出用情報部
を有し、
前記制御回路内のキーワード抽出部は、該キーワード抽出用情報部の格納内容を用いてキーワードを抽出する
ことを特徴とする請求項１〜３の何れかに記載の番組予約録画装置。
【請求項５】
前記ＥＰＧ情報データ中から、番組タイトル、番組の出演者、番組のジャンル、番組が放送される曜日、および、番組が放送される時間の少なくとも１種類についての情報が分類できる場合、
前記制御回路内のキーワード抽出部は、過去分ＥＰＧ情報部の前記分類中の少なくとも１種類を用いて、その分類毎のキーワードを抽出し、
前記キーワード検索部は、今後分ＥＰＧ情報部からその分類毎のキーワードを検索する
ことを特徴とする請求項１〜４の何れかに記載の番組予約録画装置。
【請求項６】
前記制御回路内の出力制御部は、前記番組データ出力回路を介して前記分類毎のキーワードを画像表示装置に出力し、
前記記録回路制御部は、画像表示装置に出力された分類毎のキーワード中から、前記指示入力回路を用いて使用者に指示された分類毎のキーワードを抽出キーワード部に格納し、
前記番組記録制御部は、前記分類毎のキーワードを用いて、同分類中に同キーワードが検出された番組を予約録画する
ことを特徴とする請求項５に記載の番組予約録画装置。
【請求項７】
前記制御情報記録回路は、
前記過去分ＥＰＧ情報部に格納する過去分ＥＰＧ情報データを保存させる期間情報を格納する過去分ＥＰＧ保存期間情報部
を有し、
前記制御回路内の記録回路制御部は、該過去分ＥＰＧ保存期間情報部の保存期間内に該当するＥＰＧ情報データのみを、前記過去分ＥＰＧ情報部に格納する
ことを特徴とする請求項１〜６の何れかに記載の番組予約録画装置。
【請求項８】
前記制御情報記録回路は、
前記過去分ＥＰＧ保存期間情報部に格納する過去分ＥＰＧ保存期間を設定するための設定条件の候補を格納する過去分ＥＰＧ保存期間設定情報部
を有し、
前記制御回路内の出力制御部は、前記番組データ出力回路を介して前記過去分ＥＰＧ保存期間を設定するための設定条件の候補を画像表示装置に出力し、
前記記録回路制御部は、画像表示装置に出力された設定条件の候補中から、前記指示入力回路を用いて使用者に指示された設定結果の期間を過去分ＥＰＧ保存期間情報部に格納する
ことを特徴とする請求項７に記載の番組予約録画装置。
【請求項９】
前記制御情報記録回路中で、少なくとも過去分ＥＰＧ情報部、および、抽出キーワード部については、不揮発性記憶素子あるいは電源がバックアップされた揮発性記憶素子が用いられる
ことを特徴とする請求項１〜８の何れかに記載の番組予約録画装置。
【請求項１０】
前記過去分ＥＰＧ情報部および抽出キーワード部は、前記不揮発性記憶素子あるいは電源がバックアップされた揮発性記憶素子における、前記過去分ＥＰＧ保存期間情報部および過去分ＥＰＧ保存期間設定情報部とは異なる領域あるいは異なる素子に設けられ、
前記制御回路は、前記過去分ＥＰＧ情報部からのキーワードの抽出処理を、過去分ＥＰＧ保存期間設定処理と別個に実施する
ことを特徴とする請求項９に記載の番組予約録画装置。
【請求項１１】
前記制御回路内のキーワード検索部は、前記キーワードに加えて、「再放送」を示す語「再」をキーワードとして検索する
ことを特徴とする請求項１〜１０の何れかに記載の番組予約録画装置。
【請求項１２】
有線あるいは無線の通信回線網を介して、少なくとも前記ＥＰＧ情報データを受信可能な通信制御回路を有し、
前記制御回路は、放送信号中から得られるＥＰＧ情報データと、通信回線網から得られるＥＰＧ情報データとから、過去分については過去分保存期間に適合する情報を選択して制御情報記録回路の過去分ＥＰＧ情報部に格納し、今後分については最新のデータを選択して制御情報記録回路の今後分ＥＰＧ情報部に格納する
ことを特徴とする請求項１〜１１の何れかに記載の番組予約録画装置。
【請求項１３】
番組データを予約録画するために計時する計時部を有し、
記録回路制御部は、該計時部の計時情報を用いて、今後分ＥＰＧ情報部に格納されたＥＰＧ情報データ中から過去分になったデータを検出し、そのデータを過去分ＥＰＧ情報部に転送する
ことを特徴とする請求項１〜１２の何れかに記載の番組予約録画装置。
【請求項１４】
前記画像表示装置が、番組予約録画装置に内蔵される場合、
前記番組データ出力回路は、画像表示装置の画像表示内容を制御する表示装置ドライブ回路を含む
ことを特徴とする請求項１〜１３の何れかに記載の番組予約録画装置。
【請求項１５】
前記番組データ記録回路が、番組予約録画装置の外部に接続される場合、
前記番組データ記録回路を制御するための制御入出力端子と、
前記制御回路内に、外部の前記番組データ記録回路を制御するための番組記録制御部と
が設けられることを特徴とする請求項１〜１４の何れかに記載の番組予約録画装置。
【請求項１６】
受信した放送信号中から所定の番組データおよび所定の情報データを抽出する放送受信回路と、
前記放送受信回路で抽出された番組データを格納する番組データ記録回路と、
前記番組データ記録回路から読み出された番組データを画像表示装置に出力する番組データ出力回路と、
前記放送受信回路で抽出された情報データ中の、番組データを予約録画するための制御情報を格納する制御情報記録回路と、
番組データを予約録画するための使用者の各種指示が入力される指示入力回路と、
前記各回路の動作を制御して使用者が希望する番組データを予約録画する制御回路とを有する番組予約録画装置において、
前記制御情報として前記情報データ中の過去の番組データの電子番組ガイド（ＥＰＧ）情報データおよび今後の番組データのＥＰＧ情報データを予め格納するステップと、
過去分ＥＰＧ情報データからキーワードを抽出し、そのキーワードを制御情報として格納するステップと、
今後のＥＰＧ情報データから前記キーワードを検索するステップと、
今後分ＥＰＧ情報データから、前記キーワードが一致した番組を予約録画する番組の候補として検出するステップと、
前記候補の番組のＥＰＧ情報データを画像表示装置に出力させるステップと、
前記候補の番組中から使用者に選択された番組を予約録画設定するステップ
を少なくとも有することを特徴とする番組予約録画方法。
【請求項１７】
前記過去のＥＰＧ情報データおよび今後のＥＰＧ情報データを予め格納するステップでは、
今後のＥＰＧ情報データを今後分ＥＰＧ情報部に格納するステップと、
今後のＥＰＧ情報データから、計時情報により過去分ＥＰＧ情報データになる情報があるか否かを判断するステップと、
過去分ＥＰＧ情報データになる情報がある場合に、その過去分ＥＰＧ情報データを過去分ＥＰＧ情報部に転送するステップと、
過去分ＥＰＧ保存期間情報データと計時情報により、過去分ＥＰＧ情報データ内に過去分ＥＰＧ情報保存期間を超過する情報があるか否かを判断するステップと、
過去分のＥＰＧ情報保存期間を超過する過去分ＥＰＧ情報データがある場合に、その過去分ＥＰＧ情報データを削除するステップ
を有することを特徴とする請求項１６に記載の番組予約録画方法。
【請求項１８】
過去分ＥＰＧ情報データの保存期間を設定する場合、
過去分ＥＰＧ保存期間を設定するための設定条件の候補を画像表示装置に出力させるステップと、
前記設定条件の候補中から使用者が選択した指示入力があったか否かを判断するステップと、
指示内容の保存期間を過去分ＥＰＧ情報データの保存期間として設定するステップ
を有することを特徴とする請求項１６または１７に記載の番組予約録画方法。
【請求項１９】
前記ＥＰＧ情報データ中から、番組タイトル、番組の出演者、番組のジャンル、番組が放送される曜日、および、番組が放送される時間の少なくとも１種類についての情報が分類できる場合、
前記過去分ＥＰＧ情報データからキーワードを抽出して格納するステップでは、前記分類中の少なくとも１種類を用いて、その分類毎のキーワードを抽出し、
今後分ＥＰＧ情報データから前記キーワードを検索するステップでは、その分類毎のキーワードを用いて検索する
ことを特徴とする請求項１６〜１８の何れかに記載の番組予約録画方法。
【請求項２０】
前記今後分ＥＰＧ情報データから前記キーワードを検索するステップでは、前記分類の中から番組タイトルのキーワードを用いて検索した後、他の分類のキーワードを用いて検索する
ことを特徴とする請求項１９に記載の番組予約録画方法。
【請求項２１】
前記今後分ＥＰＧ情報データから前記キーワードを検索するステップでは、前記分類毎のキーワードに加えて、「再放送」を示す語「再」をキーワードとして検索する
ことを特徴とする請求項１９または２０に記載の番組予約録画方法。
【発明の詳細な説明】
【０００１】
【発明の属する技術分野】
本発明は、テレビジョン放送等でリアルタイムに放送される画像および音声信号の番組を予約録画する装置と方法に関するものであり、特に、番組の放送と同時に放送される情報データ中の電子番組ガイド（ＥＰＧ）情報データを受信するか、インターネット等の通信回線網に接続することでＥＰＧ情報データを受信して、そのＥＰＧ情報データを利用して予約録画する装置と方法に関するものである。
【０００２】
【従来の技術】
従来の電子番組ガイドを利用するシステムでは、使用者がＥＰＧ情報のどの番組にどの程度の時間アクセスしたか、あるいは、使用者が指定した番組に類似する番組がある場合、その番組に対して選択を促す“リマインダー”を設定したかをモニタリングすること等により、システムが使用者の嗜好する番組のカテゴリ等を決定し、その嗜好に合うカテゴリの番組の開始直前に、ＥＰＧ情報に対して、その番組情報および関連広告を提供するものが知られている。（例えば、特許文献１参照）。
【０００３】
【特許文献１】
特表２００２−５０６３２８号公報（第１３頁、請求項９５等、第１６図）
【０００４】
【発明が解決しようとする課題】
一般的な番組予約録画装置の使用者が予約録画を実施する場合には、新聞等の番組欄から所望の番組を選び出して予約録画するか、又は、ＥＰＧ情報データを画像表示装置に出力させた画面上に現れる番組表の中から使用者に選択させて予約録画を設定しているが、使用者が嗜好する番組をＥＰＧ情報データ中から検索する処理はできなかったため、使用者にとって既知の番組を予約録画する場合が多かった。
【０００５】
それに対して、上記した特表２００２−５０６３２８号公報の発明では、使用者が嗜好する番組をＥＰＧ情報データ中から検索できるようにしているが、ＥＰＧ情報に使用される既存の分類を利用して使用者の嗜好する番組のカテゴリあるいはジャンル等をＥＰＧ情報から決定しているのみで、既存の分類よりも詳細な使用者の嗜好を決定することはできなかった。
【０００６】
例えば、特表２００２−５０６３２８号公報の発明では、ＥＰＧ情報に使用される既存の分類を利用して、使用者の嗜好する番組が映画の番組であるか、コメディ番組であるか、スポーツ番組であるか、あるいは、子供向け番組であるか等のおおまかなカテゴリあるいはジャンルについては判断しているが、スポーツの中でも野球の特定チームが好きであるとか、特定タイトルの映画が好きであるというような詳細な使用者の嗜好に対応して番組を決定できなかった。つまり、特表２００２−５０６３２８号公報の発明では、過去に放送された番組と類似する番組あるいは関連する番組を今後の番組から検索する場合に、既存の分類しか使用できないため、検索精度を向上させることができなかった。
【０００７】
また、上記したように、従来はＥＰＧ情報データから検索可能な内容は既存の大まかな分類内容のみであるので、使用者にとって内容が未知の番組をＥＰＧ情報データから検索して予約録画を設定しようとしても真に使用者が嗜好する番組を検索できる場合は少なかった。例えば、使用者が、今までに検索したことのない嗜好の番組をＥＰＧ情報データから検索しようとする場合には、既存のカテゴリあるいはジャンルを組み合わせて煩雑な設定するしかなく、それでも、目的の番組をＥＰＧ情報データから検索できる確率は高くなかった。従って、特表２００２−５０６３２８号公報の発明の場合であっても、既知の番組を予約する場合が多くなっていた。
【０００８】
また、特表２００２−５０６３２８号公報の発明では、既存の大まかな分類により検索できるのみであるので、例えば、「毎日」、「毎週」等の繰り返し周期で放送されるシリーズ番組、定期番組や連続番組中から、特定の番組のみを検索したい場合に検索精度を向上させることが難しく、同種の番組が多い中で不定期に放送される特定の番組のみを検索したい場合の検索精度も向上させることが難しかった。さらに、上記した繰り返し周期の期間が変化する場合や、検索に引用する元の番組の繰り返し周期と、検索しようとする番組の繰り返し周期に違いが有る場合にも対応が難しかった。
【０００９】
また、使用者の詳細な嗜好に対応するために、例えば、使用者に上記したような詳細な嗜好データを入力させるための専用のグラフィカル・ユーザー・インターフェース（ＧＵＩ）が必要になるが、現在までの既存のＧＵＩ中では、そのような詳細な嗜好を提示して使用者に選択させるＧＵＩは知られていない。
【００１０】
また、ＧＵＩを利用しないで使用者に詳細な嗜好データを入力させようとする場合にはワードプロセッサ的な機能が必要になるが、従来はワードプロセッサ的な機能を有する部品を番組予約録画装置の内部に有しておらず、そのような部品は一般的に高価である。従って、ワードプロセッサ機能を追加すると、従来と異なる部品の追加が必要になり、装置の形状寸法と重量が増加し、コストが増加してしまう上に、入力作業という煩雑な処理を使用者に強いることになる。
【００１１】
また、例え、ＧＵＩ等を用いて使用者に嗜好を入力させたとしても、映像等に関する使用者の嗜好はその時点の流行等により変化しやすいため、流行に遅れてしまった嗜好データでは使用者が希望する番組を決定できなくなってしまう。そして、それを避けるためには、使用者に頻繁に煩雑な入力処理を強いて嗜好データを更新させる必要があり、専用のＧＵＩ等のデータも最新のものに更新する必要がある。例えば、特表２００２−５０６３２８号公報の発明では、使用者の嗜好する番組で扱っているテーマや内容あるいは出演者等が流行に合致しており、話題性のある番組である場合等のように、既存のジャンルあるいはカテゴリの分類ではなく最新の分類が必要になる場合には、使用者の嗜好を決定できない。
【００１２】
本発明は、上記した問題を解決するためになされたものであって、使用者の詳細な嗜好データを容易にかつ簡単な構成で入力あるいは更新処理が可能であり、その嗜好データにより容易に使用者の嗜好する番組の予約録画ができる予約録画装置および方法を提供することを目的とする。
【００１３】
【課題を解決するための手段】
上述の目的を達成するため、本発明の番組予約録画装置は、受信した放送信号中から所定の番組データおよび所定の情報データを抽出する放送受信回路と、放送受信回路で抽出された番組データを格納する番組データ記録回路と、番組データ記録回路から読み出された番組データを画像表示装置に出力する番組データ出力回路と、放送受信回路で抽出された情報データ中の、番組データを予約録画するための制御情報を格納する制御情報記録回路と、番組データを予約録画するための使用者の各種指示が入力される指示入力回路と、各回路の動作を制御して使用者が希望する番組データを予約録画する制御回路とを有する番組予約録画装置であって、
制御情報記録回路は、情報データ中の過去の番組データの電子番組ガイド（ＥＰＧ）情報データを格納する過去分ＥＰＧ情報部と、情報データ中の今後の番組データのＥＰＧ情報データを格納する今後分ＥＰＧ情報部と、過去分ＥＰＧ情報データから使用者の指示により抽出されたキーワードを格納する抽出キーワード部とを少なくとも有し、
制御回路は、過去分ＥＰＧ情報データからキーワードを抽出して過去分ＥＰＧ情報部に格納するキーワード抽出部と、今後分ＥＰＧ情報データからキーワードを検索するキーワード検索部と、今後分ＥＰＧ情報データから、キーワードが一致した番組を予約録画する番組として検出するキーワード一致検出部と、そのキーワード一致検出部で検出された番組を予約録画する番組記録制御部を少なくとも有するものである。
【００１４】
また、本発明の番組予約録画方法は、受信した放送信号中から所定の番組データおよび所定の情報データを抽出する放送受信回路と、放送受信回路で抽出された番組データを格納する番組データ記録回路と、番組データ記録回路から読み出された番組データを画像表示装置に出力する番組データ出力回路と、放送受信回路で抽出された情報データ中の、番組データを予約録画するための制御情報を格納する制御情報記録回路と、番組データを予約録画するための使用者の各種指示が入力される指示入力回路と、各回路の動作を制御して使用者が希望する番組データを予約録画する制御回路とを有する番組予約録画装置において、
制御情報として前記情報データ中の過去の番組データの電子番組ガイド（ＥＰＧ）情報データおよび今後のＥＰＧ情報データを予め格納するステップと、過去分ＥＰＧ情報データからキーワードを抽出し、そのキーワードを制御情報として格納するステップと、今後分ＥＰＧ情報データから前記キーワードを検索するステップと、今後分ＥＰＧ情報データから、キーワードが一致した番組を予約録画する番組の候補として検出するステップと、候補の番組のＥＰＧ情報データを画像表示装置に出力させるステップと、候補の番組中から使用者に選択された番組を予約録画設定するステップを少なくとも有するものである。
【００１５】
【発明の実施の形態】
以下、本発明をその実施の形態を示す図面に基づいて具体的に説明する。
実施の形態１．
本実施の形態は、使用者が内容を既知である番組だけでなく、使用者が内容を未知の番組についても、そのＥＰＧ情報データから検索して容易に予約録画を設定でき、その際に、既存の分類だけでなく、使用者が個人的に興味を有している番組の過去分ＥＰＧ情報データからキーワードを抽出することにより、既存ではなく新規に創出された分類に相当するキーワードを設定でき、扱っているテーマや内容あるいは出演者等が流行に合致している番組や、話題性のある番組を検索するための新たなキーワードを設定できるので、使用者による番組の検索および選択を容易にして使い勝手を向上させるものである。
【００１６】
図１は、本発明の実施の形態１の番組予約録画装置を示すブロック図である。
同図において、アンテナ１は、不図示の放送局から送信された放送信号を受信するためのものであり、例えば、アナログ／デジタル形式の地上波／衛星放送を受信するためのアンテナであり、あるいは、ＣＡＴＶの受信部である。番組予約録画装置２は、例えば、独立型のチューナやデコーダを総称して称されるセットトップボックスのうち、さらに、予約録画機能を備えたものである。通信回線網３は、例えば、インターネット等の公衆通信回線網である。画像表示装置４は、例えば、陰極線管（ＣＲＴ）あるいは液晶等の表示部を備えて番組の画像を表示可能なテレビジョン受信装置等である。
【００１７】
以下、アナログ形式の地上波受信を例に説明すると、放送受信回路１１は、受信した放送信号中から所定の番組データおよび所定の情報データを抽出する回路であり、例えば、アンテナ１から入力する変調された映像・音声信号を検波および復調してベースバンド信号に変換する映像・音声検波デコーダーである。また、放送受信回路１１は、映像／音声のベースバンド信号を生成する際に映像信号の垂直帰線期間に重畳されて送られてくるものを分離して抽出されるＥＰＧ情報データを後述する制御回路１４に送信する。
【００１８】
番組データ記録回路１２は、放送受信回路１１で抽出された番組データを格納する回路であり、例えば、放送受信回路１１でデコードされたベースバンド信号を記録する際には、記録に適したＭＰＥＧ−２等のデジタル信号にエンコードしてから格納し、再生する際には、格納されたデジタル信号を再びベースバンド信号にデコードして出力する記録回路である。具体的には、ハードディスクレコーダー（以下、ＨＤＤと記載する）やＤＶＤ等が用いられる。なお、図中で制御データのバスラインとベースバンド信号とを橋渡しするバスブリッジ回路等については記載を省略している。
【００１９】
番組データ出力回路１３は、番組データ記録回路１２から出力された番組データを画像表示装置４に出力する回路であり、例えば、番組データ記録回路１２からのデコードされたベースバンド信号と、ＥＰＧ情報等を表示するオンスクリーン・ディスプレー（以下、ＯＳＤと記載する。）信号とを混合して出力する出力回路である。
【００２０】
また、アンテナ１から受信する信号の種類としては、アナログ放送信号だけでなくデジタル放送信号を受信する場合もある。デジタル放送信号としては、例えば、ＶＳＢ（Vestigial Side Band）、ＱＡＭ（Quadrature Amplitude Modulation）、ＱＰＳＫ（Quadrature Phase Shift Keying）等の変調方式で変調されたデジタル放送信号が知られている。デジタル放送信号を受信する場合の放送受信回路１１は、デモジュレーターとしての機能を果せば良く、出力としては、例えば、ＭＰＥＧ−２のトランスポートストリーム信号が出力される。また、デジタル放送信号を受信する場合の番組データ出力回路１３は、エンコードの機能は不要になるのでバイパスされていても良く、例えば、単なるデマルチプレクサーの機能を実施するだけで良い。
【００２１】
制御回路１４は、番組予約録画装置２の各回路の動作を制御することで全体の動作を制御する制御回路であり、例えば、各回路を制御することで使用者が希望する番組データを番組予約録画装置２に予約録画させる動作を制御する回路である。また、制御回路１４は、後述する過去分ＥＰＧ情報部３１からのキーワードの抽出処理を、後述する過去分ＥＰＧ保存期間設定処理とは別個に実施し、あるいは、放送信号中から得られるＥＰＧ情報データと、通信回線網３から得られるＥＰＧ情報データから、過去分については過去分保存期間に適合する情報を選択して制御情報記録回路１７の過去分ＥＰＧ情報部３１に格納し、今後分については最新のデータを選択して制御情報記録回路１７の今後分ＥＰＧ情報部３２に格納する。
【００２２】
通信制御回路１５は、有線あるいは無線の通信回線網３を介し、番組予約録画装置２との間で信号の送受信を制御する回路であり、例えば、モデム等により通信回線網３等に設けられたＥＰＧ情報のサイトから少なくともＥＰＧ情報データを受信（取得）するものである。
【００２３】
指示入力回路１６は、番組データを予約録画するための使用者の各種指示が入力される回路であり、例えば、赤外線方式のリモコン装置からの指示信号を受信する回路であり、あるいは、キーボード／コントロールパネル等の使用者が直接に指示入力する回路である。
【００２４】
制御情報記録回路１７は、不揮発性記憶素子あるいは電源がバックアップされた揮発性記憶素子が用いられ、放送受信回路１１で抽出された情報データ中の番組データを予約録画するための制御情報を格納する回路であり、例えば、ＥＰＧ情報データ等の番組データを予約録画（記録）する際に用いられる制御情報を格納する回路である。なお、制御情報記録回路１７は、例えば、番組データ記録回路１２と同一の記録回路中の別領域に設けられても良い。
【００２５】
制御回路１４内において、受信制御部２１は、放送受信回路１１を制御して所定の番組データおよび所定の情報データを抽出させるものである。番組記録制御部２２は、番組データ記録回路１２を制御して所定の番組データを格納させるものであり、例えば、画像表示装置４に出力された予約録画番組の候補中から指示入力回路１６を用いて使用者に指示された番組を予約録画するものである。
【００２６】
出力制御部２３は、番組データ出力回路１３を制御して番組データあるいは予約録画番組の候補を画像表示装置４に出力させるものであり、また、番組データ出力回路１３を介して後述する過去分ＥＰＧ保存期間を設定するための設定条件の候補を画像表示装置に出力するものである。また、出力制御部２３には、番組データ出力回路１３を介して分類毎のキーワードを画像表示装置４に出力させ、記録回路制御部２８には、画像表示装置４に出力された分類毎のキーワード中から、指示入力回路１６を用いて使用者に指示された分類毎のキーワードを抽出キーワード部３６に格納させ、番組記録制御部２２には、分類毎のキーワードを用いて、同分類中に同キーワードが検出された番組を予約録画させても良い。
【００２７】
キーワード一致検出部２４は、今後分ＥＰＧ情報データから、キーワードが一致した番組を、予約録画する番組あるいは予約録画する番組の候補として検出するものである。
【００２８】
キーワード抽出部２５は、過去分ＥＰＧ情報データからキーワードを抽出して後述する過去分ＥＰＧ情報部３１に格納するものであり、例えば、後述するキーワード抽出用情報部３５の格納内容を用いてキーワードを抽出するものである。キーワード検索部２６は、今後分ＥＰＧ情報データからキーワードを検索し、番組記録制御部２２によりキーワード一致検出部で検出された番組を予約録画させるものである。なお、キーワード検索部２６は、今後分ＥＰＧ情報データからキーワードを検索する処理について、キーワード抽出部２５を共用させても良い。また、キーワード検索部２６は、キーワードに加えて、「再放送」あるいは再放送を示す語の「再」をキーワードとして検索することができる。
【００２９】
また、ＥＰＧ情報データ中から、番組タイトル、番組の出演者、番組のジャンル、番組が放送される曜日、および、番組が放送される時間の少なくとも１種類についての情報が分類できる場合には、キーワード抽出部２５には、過去分ＥＰＧ情報部３１の分類中の少なくとも１種類を用いて、その分類毎のキーワードを抽出させ、キーワード検索部２６には、今後分ＥＰＧ情報部３２の番組タイトルからその分類毎のキーワードを検索させても良い。
【００３０】
記録回路制御部２８は、後述する過去分ＥＰＧ保存期間情報部３４の保存期間内に該当するＥＰＧ情報データのみを、過去分ＥＰＧ情報部３１に格納するものであり、また、画像表示装置４に出力された設定条件の候補中から、指示入力回路１６を用いて使用者に指示された設定結果の期間を後述する過去分ＥＰＧ保存期間情報部３４に格納する。また、記録回路制御部２８は、計時部２９の計時情報を用いて、後述する今後分ＥＰＧ情報部３２に格納されたＥＰＧ情報データ中から過去分になったデータを検出し、そのデータを後述する過去分ＥＰＧ情報部３１に転送する。また、計時部２９は、番組データを予約録画するために計時するものである。
【００３１】
制御情報記録回路１７内において、過去分ＥＰＧ情報部３１は、情報データ中の過去の番組データの電子番組ガイド（ＥＰＧ）情報データを格納するものである。今後分ＥＰＧ情報部３２は、情報データ中の今後分ＥＰＧ情報データを格納するものである。
【００３２】
一般的に上記放送信号中あるいは通信回線網３経由の各経路から取得されるＥＰＧ情報データは、今後分ＥＰＧ情報データであるので、通常のＥＰＧ情報データは、今後分ＥＰＧ情報部３２に格納される。しかし、例えば、通信回線網３経由で所定のサイトからＥＰＧ情報データを受信する場合には、今後分だけでなく、過去分ＥＰＧ情報データについても供給が可能な場合が考えられる。その場合には、過去分ＥＰＧ情報データが過去分ＥＰＧ情報部３１に格納され、今後分ＥＰＧ情報データが今後分ＥＰＧ情報部３２に格納される。
【００３３】
過去分ＥＰＧ保存期間設定情報部３３は、後述する過去分ＥＰＧ保存期間情報部３４に格納する過去分ＥＰＧ保存期間を設定するための設定条件の候補を格納するものである。過去分ＥＰＧ保存期間情報部３４は、過去分ＥＰＧ情報部３１に格納する過去分ＥＰＧ情報データを保存させる期間情報を格納するものである。
【００３４】
キーワード抽出用情報部３５は、過去分ＥＰＧ情報データからキーワードを抽出するために使用者にキーワードを提示して選択させるための内容と使用者に指示された内容を抽出条件として格納するものである。ここで、使用者にキーワードを提示して選択させるための内容とは、例えば、画像表示装置４にキーワード抽出用のＧＵＩ画面を表示させるＯＳＤ信号等であり、使用者により、関連内容あるいは類似するキーワードを選択させるために、抽出されたキーワードを画面表示させるものである。使用者に指示された内容とは、例えば、過去分ＥＰＧ情報データからキーワードを抽出する際に、使用者に指示された過去の期間限定条件や、チャンネル等の限定条件、既存分類の限定条件等である。また、このキーワード抽出用情報部３５に不揮発性記憶素子あるいは電源がバックアップされた揮発性記憶素子を用いることにより、例えば、過去分ＥＰＧ情報データが更新された場合に、再度、過去のキーワード抽出と同じ条件でキーワードの抽出を繰り返したい場合等に利用できる。
【００３５】
一方、抽出キーワード部３６には、過去分ＥＰＧ情報データから使用者の指示により抽出されたキーワードを格納するものである。これは、１回限りの今後分ＥＰＧ情報データからのキーワード検索に利用しても良いが、この抽出キーワード部３６に不揮発性記憶素子あるいは電源がバックアップされた揮発性記憶素子を用いることにより、例えば、今後分ＥＰＧ情報データが更新された場合に、再度、前回の検索に用いたキーワードで、今後分ＥＰＧ情報データからキーワードの抽出を繰り返したい場合等に同じキーワードを毎回利用できるようになる。
【００３６】
なお、過去分ＥＰＧ情報部３１および抽出キーワード部３６は、不揮発性記憶素子あるいは電源がバックアップされた揮発性記憶素子において、過去分ＥＰＧ保存期間情報部３４および過去分ＥＰＧ保存期間設定情報部３３とは異なる領域あるいは異なる素子に設けられる。
【００３７】
次に本実施の形態の動作について説明する。
図２は、図１の番組予約録画装置２を用いて使用者が嗜好する番組の予約録画を設定する場合の動作を示すフローチャートである。
【００３８】
まず、番組予約録画装置２は、通常動作時あるいは前回の番組録画時等に、制御情報として情報データ中に含まれるＥＰＧ情報データを予め格納する。また、例えば、ＥＰＧ情報データが今後分のみである場合には、まず、そのＥＰＧ情報データを今後分ＥＰＧ情報部３２に格納しておき、計時部２９による時間経過により格納されたデータが過去分になったものを過去分ＥＰＧ情報部３１に転送して格納する。このようにした、予め過去のＥＰＧ情報データおよび今後のＥＰＧ情報データを予め格納しておく（Ｓ１）。
【００３９】
番組予約録画装置２の使用者が指示入力回路１６により、キーワードを用いる番組予約録画の操作入力指示を待ち受ける。これにより、使用者がキーワードによる番組予約録画を希望しているか否かを判断する（Ｓ２）。キーワードによる番組予約録画が指示されない場合（Ｓ２：ＮＯ）には、再びステップＳ２で待ち受け動作を続ける。
【００４０】
キーワードによる番組予約録画が指示された場合（Ｓ２：ＹＥＳ）には、制御回路１４は、制御情報記録回路１７内の過去分ＥＰＧ情報部３１から過去分ＥＰＧ情報データを読み出し、キーワード抽出部２５でその過去分ＥＰＧ情報データからキーワードを抽出し、抽出したキーワードを制御情報として制御情報記録回路１７内の抽出キーワード部３６に格納する（Ｓ３）。その際に、例えば、キーワード抽出用情報部３５には、画像表示装置４にキーワード抽出用のＧＵＩ画面を表示させるＯＳＤ信号を格納させておいて、抽出されたキーワードを候補として画像表示装置に表示させ、指示入力回路１６により使用者に選択（指示）された内容を抽出されたキーワードとして格納しても良い。さらに、使用者により選択（指示）されたキーワードを格納しておき、次回以降のキーワードによる番組予約録画の繰り返し検索等に用いるようにしても良い。
【００４１】
ここで、キーワードを利用した番組の分類方法について説明する。一般的に放送局ないしは番組のプロバイダー側から提供されるＥＰＧ情報データでは、各チャンネル毎に、番組の情報が時系列に沿って表示されるか、あるいは、ジャンルごとに表示される。つまり、一般的に番組を検索する場合に用いるキーワードとしては、番組の放送時間および、番組のジャンルが最も容易に得られるキーワードとなる。その他のキーワードとしては、放送の連続性の有無、複数回放送の有無、放送に連続性を有する場合の放送時間および放送周期間隔が考えられる。
【００４２】
また、ある番組の放送が連続性を有する場合には、その主タイトルは固定されたタイトルになっていると考えられるので、その場合には、主タイトルは有望なキーワード候補となる。例えば、毎日定期的に固定された時刻に放送（または再放送）される番組の例として、朝の連続小説ドラマ（例えば、昼に再放送）等では放送される主タイトルは固定パターンが毎日放送されることが多い。また、毎日定時のニュース番組等でも、主タイトルは固定パターンが使用されていることが多い。
【００４３】
また、毎週定期的に固定された曜日および時刻に放送（または再放送）される通常の連続番組でも、主タイトルが固定パターンで放送されるものが多い。例えば、毎週月曜日の９時からの特定チャンネルの連続ドラマ等では、３ヶ月や半年の期間単位内では同じ主タイトルが固定パターンで用いられることが多い。
【００４４】
その他の不定期に放送される特別番組や、不定期に放送される「再放送」番組では、主タイトルは固定パターンにはならない場合の方が多くなっている。
【００４５】
ここまでの説明では、主タイトル（放送番組のタイトル）と、再放送というキーワードが分類の候補になることを説明したが、各番組の情報にはその他の情報も含まれており、それらもキーワードの候補となる。一般的な各番組の情報には、以下の既存の分類１〜５の内容の情報が含まれており、それらの情報全体がキーワードの候補となりえる。
（分類１）：  放送番組のタイトル、
（分類２）：  放送日、曜日、
（分類３）：  放送開始時刻、放送終了時刻または継続時間
（分類４）：  番組のジャンル（あるいはカテゴリ）
（分類５）：  番組の付加情報（出演者、再放送、ステレオ/２ヶ国語放送、ニュースなど）
【００４６】
上記した各分類中では、（分類１）の放送番組のタイトルが最もキーワードとして用いられる確率が高く、最初に使用される確率も高い。ここまでのキーワードには、既存の分類等を利用しているものを示している。しかし、本実施の形態では、上記した分類１〜５までの既存の分類の情報内容から、さらに新たなキーワードを抽出する。
【００４７】
この場合の抽出方法としては、例えば、現時点における、ＥＰＧ情報データから主要キーワードを抽出するための代表的な方法の一つとして「字種区切り法」が知られている。その他に「左最長一致法」等が知られている。しかし、上記した何れの方法でも、一連の文章からキーワードとなる単語を抽出する精度が１００％ではない。
【００４８】
従って、本実施の形態のように、例えば、過去にキーワードとして使用した単語を保存する部位を設け、抽出したキーワードから保存されているキーワードと一致したものを用いることで、一種の学習機能的なキーワードの抽出を行うことができるので検索精度を向上させることができる。また、同様な番組のキーワード検索を繰り返す場合には、使用したキーワードを保存する作業を繰り返すことにより確率が向上して一種の学習機能を高めることができるので、目的とする番組の検索精度を向上させることができることになる。
【００４９】
図３および４は、図２のステップＳ３の過去分ＥＰＧ情報からキーワードを抽出し、さらに使用者に選択させてから格納する処理における情報の例を示す図である。
【００５０】
図３（ａ）のＥＰＧ情報５０は、例えば、過去分ＥＰＧ情報から読み出された番組のうちで、使用者が予約録画を希望する番組に関するＥＰＧ情報データである。図３の場合は、例えば、現時点では、この使用者が予約録画を希望する番組については、再放送日が使用者には認識されておらず（未知）であるが、将来的には再放送の可能性が高いことを使用者が認識している番組である。
【００５１】
ＥＰＧ情報５０のうち、チャンネル名５０ａは「ＭＨＫ教育テレビ」であり、番組名５０ｂは「シルクロード悠久の美」であり、放送日５０ｃは「２００２年９月１５日（２００２／０９／１５）」であり、放送開始時刻５０ｄは「午前９時（９：００）」であり、放送終了時刻５０ｅは「午前１０時（１０：００）」である。番組詳細情報５０ｆは、番組のあらまし、出演者、再放送、ステレオ/２ヶ国語放送、ニュースなど番組内容を補足説明する複数のキーワードが含まれるものであり、ここでは「Ｓ」（ステレオ放送を示す）、「シルクロード悠久の美」である。ジャンル５０ｇは、映画、ドラマ、スポーツ、音楽、バラエティー、その他等に分類が設けられた中の１つであり、ここでは「その他」である。なお、放送終了時刻５０ｅは、放送継続時間であっても良い。
【００５２】
図３（ｂ）の抽出されたキーワード候補５１は、制御回路１４の制御により過去分ＥＰＧ情報部３１から読み出されたＥＰＧ情報５０から抽出されたキーワードであり、番組名５１ａは「シルクロード悠久の美」であり、番組詳細情報５１ｂは「Ｓ」、「シルクロード悠久の美」、「シルクロード」、「悠久」、「美」であり、ジャンル５１ｃは「その他」である。
【００５３】
図３（ｃ）の選択されたキーワード５２は、制御回路１４の制御により、抽出されたキーワードを候補として画像表示装置４に表示させてから使用者により選択されたキーワードであり、番組名５２ａは「シルクロード悠久の美」であり、出演者５２ｂはデータ無しであり、ジャンル５２ｃは「その他」であり、さらに、付加キーワード５２ｄは再放送を示す語の「再」である。
【００５４】
キーワード抽出部２５の処理としては、例えば、ＥＰＧ情報５０の中から「字種区切り法」を用いて、キーワード候補として、「シルクロード悠久の美」、「Ｓ」、「シルクロード」、「悠久」、「美」、「その他」を抽出し、その抽出したキーワード候補を抽出キーワード部３６に一時的に格納する。
【００５５】
次に、制御回路１４は、自動的あるいは使用者の指示により、この各キーワード候補を画像表示装置４にＧＵＩ画面と共に出力し、使用者による選択を可能にする。図示の例では番組のタイトルである「シルクロード悠久の美」とジャンルとして「その他」をキーワードとして順次選択させる。
【００５６】
また、キーワード抽出部２５は、例えば、使用者が予約録画を希望する番組が、過去に放送された番組と同内容の番組であり、次の放送日が使用者には認識されていない（未知）の番組である場合には、図３（ｃ）に示したように再放送を意味する語の「再」と言うキーワードを自動的に付加する。
【００５７】
こうして得られた、図３（ｃ）の選択されたキーワード５２は、選択前と同様に、選択後の使用者の確認用としてＧＵＩ画面上に表示されると共に、抽出キーワード部３６に格納される。
【００５８】
図４（ａ）のＥＰＧ情報６０も、図３（ａ）と同様に、過去分ＥＰＧ情報から読み出された番組のうちで、使用者が予約録画を希望する番組に関するＥＰＧ情報データである。図４の場合は、例えば、使用者が予約録画を希望する番組は、図３の場合と異なり過去に放送された番組と内容が類似する番組であり、将来的には放送される可能性が高いが、放送日が使用者には認識されていない（未知）の類似番組である。
【００５９】
ＥＰＧ情報６０のうち、チャンネル名６０ａは「ＭＨＫ教育テレビ」であり、番組名６０ｂは「ジャズ・セレクション」であり、放送日６０ｃは「２００２年９月８日（２００２／０９／０８）」であり、放送開始時刻６０ｄは「午後９時３０分（２１：３０）」であり、放送終了時刻６０ｅは「午後１０時（２２：００）」であり、番組詳細情報６０ｆは「Ｓ」、「ジャズ・セレクション」、「再」、「ソロピアノ・バラード集（２）」であり、ジャンル６０ｇは「音楽」である。
【００６０】
図４（ｂ）の抽出されたキーワード候補６１は、「Ｓ」、「ジャズ」、「セレクション」、「再」、「ソロピアノ」、「バラード集」、「（２）」、「音楽」である。
図４（ｃ）の選択されたキーワード６２は、「ジャズ」と「音楽」である。
【００６１】
キーワード抽出部２５の処理としては、例えば、ＥＰＧ情報６０の中から「字種区切り法」を用いて、キーワード候補として、「Ｓ」、「ジャズ」、「セレクション」、「再」、「ソロピアノ」、「バラード集」、「（２）」、「音楽」を抽出し、その抽出したキーワード候補を抽出キーワード部３６に一時的に格納する。
【００６２】
次に、制御回路１４は、自動的あるいは使用者の指示により、この各キーワード候補を画像表示装置４にＧＵＩ画面と共に出力し、使用者による選択を可能にする。この選択は、類似番組あるいは関連番組を特定（選択）するためのキーワードとしての選択であり、図示の例では「ジャズ」と「音楽」が選択されている。
【００６３】
こうして得られた、図４（ｃ）の選択されたキーワード６２は、選択前と同様に、選択後の使用者の確認用としてＧＵＩ画面上に表示されると共に、抽出キーワード部３６に格納される。
【００６４】
ここで、図２のフローチャートに戻り、次に、制御回路１４は、制御情報記録回路１７内の今後分ＥＰＧ情報部３２から今後分ＥＰＧ情報データを読み出し、キーワード検索部２６でその今後分ＥＰＧ情報データからキーワードを検索し（Ｓ４）、さらに、今後分ＥＰＧ情報データから、キーワードが一致した番組を予約録画する番組の候補として検出する（Ｓ５）。
【００６５】
また、ＥＰＧ情報データ中から、番組タイトル、番組の出演者、番組のジャンル、番組が放送される曜日、および、番組が放送される時間の少なくとも１種類についての情報が分類できる場合、ステップＳ３で、過去分のＥＰＧ情報からキーワードを抽出して格納する際に、各分類を用いて、その分類毎のキーワードを抽出し、ステップＳ４では、その分類毎のキーワードを用いて番組を検索する。
【００６６】
ここで分類毎のキーワードを用いて番組を検索する場合についてさらに詳しく説明する。
【００６７】
図５および６は、図２のステップＳ４の今後分ＥＰＧ情報からキーワードを検出し、ステップＳ５で今後分ＥＰＧ情報からキーワードが一致する番組を検出する処理における情報の例を示す図である。
【００６８】
図５（ａ）のＥＰＧ情報７０は、図３のキーワードにより検索された番組の情報であり、例えば、今後分ＥＰＧ情報部３２から読み出された番組のうちで、図３（ｃ）の選択されたキーワード５２と合致したキーワードを含むＥＰＧ情報データである。
【００６９】
ＥＰＧ情報７０のうち、チャンネル名７０ａは「ＭＨＫ教育テレビ」であり、番組名７０ｂは「シルクロード悠久の美」であり、放送日７０ｃは「２００２年９月２２日（２００２／０９／２２）」であり、放送開始時刻７０ｄは「午後８時（２０：００）」であり、放送終了時刻７０ｅは「午後９時（２１：００）」であり、番組詳細情報７０ｆは「Ｓ」、「再」、「シルクロード悠久の美」、「東西文化の交流地・新彊ウイグル自治区▽遊牧民の黄金文化▽東西秀樹が出会った名品の数々ほか」である。ジャンル７０ｇは「その他」である。
【００７０】
図５（ｂ）の抽出されたキーワード候補７１では、番組名７１ａは「シルクロード悠久の美」であり、番組詳細情報７１ｂは「Ｓ」、「シルクロード悠久の美」、「シルクロード」、「悠久」、「美」、「東西文化」、「交流地」、「新彊」、「ウイグル」、「自治区」、「遊牧民」、「黄金文化」、「東西秀樹」、「出会」、「名品」、「数々」であり、ジャンル７１ｃは「その他」である。
【００７１】
図５（ｃ）の選択されたキーワード７２では、番組名７２ａは「シルクロード悠久の美」であり、番組詳細情報７２ｂは「再」であり、ジャンル７２ｃは「その他」である。
【００７２】
キーワード抽検索部２６の処理としては、例えば、ＥＰＧ情報７０の中から「字種区切り法」を用いて、キーワード候補として、「シルクロード悠久の美」、「Ｓ」、「シルクロード」、「悠久」、「美」、「東西文化」、「交流地」、「新彊」、「ウイグル」、「自治区」、「遊牧民」、「黄金文化」、「東西秀樹」、「出会」、「名品」、「数々」、「その他」を抽出し、その抽出したキーワード候補を抽出キーワード部３６に一時的に格納する。
【００７３】
次に、キーワード一致検出部２４は、図３（ｃ）の選択されたキーワード５２と、図５（ｂ）の抽出されたキーワード７１との一致を検出し、図５（ｃ）の一致したキーワードを得る。
【００７４】
そして、キーワード一致検出部２４は、図５（ｃ）の一致したキーワードが検出されたＥＰＧ情報７０を有する番組（図５（ａ）の番組）を予約録画番組の候補として、そのＥＰＧ情報７０を予約録画番組情報部３７および予約録画時間情報部３８に一時的に格納する。なお、図５（ｃ）の一致したキーワード７２は、図３（ｃ）の選択されたキーワード５２に基づくので、結果的には、今後分ＥＰＧ情報部３２から読み出された番組のうちで、図３（ｃ）の選択されたキーワード５２が合致した番組が選択されることになる。
【００７５】
ここで、図２のフローチャートに戻り、制御回路１４では、その予約録画する番組の候補のＥＰＧ情報データを出力制御部２３により番組データ出力回路１３経由で画像表示装置４に出力させる。こうして得られた、図５（ａ）に示された予約録画の候補番組は、使用者の選択用としてＧＵＩ画面上に表示される（Ｓ６）。
【００７６】
予約録画される番組候補の表示方法としては、例えば、一般的なＥＰＧ情報のＧＵＩ画面上での表示方法である、「各チャンネルごとに分類し、時系列に沿って表示」したり、「ジャンルごとに分類して表示」する一覧表の中で番組候補をマーキング等により使用者に判別可能な形で明示する方法、あるいは、録画を希望する番組の放送リストとして一覧表に表示する方法等を用いることができる。
【００７７】
図６（ａ）のＥＰＧ情報８０は、図４のキーワードにより検索された番組の情報であり、図５の場合と同様に、今後分ＥＰＧ情報部３２から読み出された番組のうちで、図４（ｃ）の選択されたキーワード６２が合致した番組に関するＥＰＧ情報データである。
【００７８】
ＥＰＧ情報８０のうち、チャンネル名８０ａは「ＡＢＣテレビ」であり、番組名８０ｂは｛音楽会２１「日本ジャズの巨星」｝であり、放送日８０ｃは「２００２年９月２１日（２００２／０９／２１）」であり、放送開始時刻８０ｄは「午前９時（０９：００）」であり、放送終了時刻８０ｅは「午前９時３０分（０９：３０）」であり、番組詳細情報８０ｆは「Ｓ」、「題名２１ジャズは長寿の秘訣？」であり、ジャンル８０ｇは「音楽」である。
【００７９】
図６（ｂ）の抽出されたキーワード候補８１は、「音楽会」、「２１」、「日本」、「ジャズ」、「巨星」、「Ｓ」、「題名」、「長寿」、「秘訣」、「音楽」である。図６（ｃ）の選択されたキーワード８２は、「ジャズ」と「音楽」である。
【００８０】
キーワード抽検索部２６の処理としては、例えば、ＥＰＧ情報８０の中から「字種区切り法」を用いて、キーワード候補として、「音楽会」、「２１」、「日本」、「ジャズ」、「巨星」、「Ｓ」、「題名」、「長寿」、「秘訣」、「音楽」を抽出し、その抽出したキーワード候補を抽出キーワード部３６に一時的に格納する。
【００８１】
次に、キーワード一致検出部２４は、図４（ｃ）の選択されたキーワード６２と、図６（ｂ）の抽出されたキーワード８１との一致を検出し、図６（ｃ）の一致したキーワードを得る。
【００８２】
そして、キーワード一致検出部２４は、図６（ｃ）の一致したキーワードが検出されたＥＰＧ情報８０を有する番組（図６（ａ）の番組）を予約録画番組の候補として、そのＥＰＧ情報８０を予約録画番組情報部３７および予約録画時間情報部３８に一時的に格納する。この場合も図５の場合と同様に、図６（ｃ）の一致したキーワード８２は、図４（ｃ）の選択されたキーワード６２に基づくので、結果的には、今後分ＥＰＧ情報部３２から読み出された番組のうちで、図４（ｃ）の選択されたキーワード６２が合致した番組が選択されることになる。
こうして得られた、図６（ａ）に示された予約録画の候補番組は、使用者の確認用としてＧＵＩ画面上に表示される。
【００８３】
なお、図３および図５の例では、キーワード抽出方法として番組詳細情報を「字種区切り法」で処理する場合を示したが、図３および図５の番組名「シルクロード悠久の美」については、「字種区切り法」で「シルクロード」、「悠久」、「美」の細分割されたものの他に、そのオリジナルの一連の文字群もキーワード候補としている。検索キーワードとしては、細分割されたものが有効である場合もあるが、検索内容を絞り込む際等にはある程度組み合わされた文字群の方が検索に有効な場合がある。図３及び図５の場合は、再放送等のようにある程度絞り込んだ内容で番組を検索する場合には、番組名のオリジナル文字群により的確な検索処理ができるということを示している。一方、図４および図６の例では、類似番組を検索する場合のように比較的広い内容で番組を検索する場合には、オリジナルの一連の文字群｛音楽会２１「日本ジャズの巨星」｝という番組タイトルをそのまま用いるよりも、その中から「ジャズ」という細分割されたキーワードを抽出して用いるほうが好ましい検索結果が得られることを示している。
【００８４】
ここで、図２のステップＳ６において制御回路１４では、予約録画する番組の候補のＥＰＧ情報データを画像表示装置４に出力させるが、その際に、例えば、今後分ＥＰＧ情報部３２には、画像表示装置４に予約録画する番組候補の表示用のＧＵＩ画面を表示させるＯＳＤ信号を格納させておいても良い。
【００８５】
その後、制御回路１４は、画像表示装置４に表示された候補の番組中から使用者により選択された番組が指示入力回路１６から入力されたら、その選択入力された番組を予約録画する番組として設定する（Ｓ７）。例えば、その選択された番組のチャンネルデータ等を予約録画番組情報部３７に格納し、選択された番組の放送月日時データ等を予約録画時間情報部３８に格納して、計時部２９の計時情報をトリガーとする予約録画の待ち受け処理を実施する。そして、予約録画時間になった場合、受信制御部２１により放送受信回路１１を制御すると共に、番組記録制御部２２により番組データ記録回路１２を制御し、その選択された番組を録画する。
【００８６】
図７は、図１の番組予約録画装置２が、放送局側あるいは通信回線網３のサイト側からは今後分ＥＰＧ情報データしか得られない場合の図２におけるステップ１の処理を示すフローチャートである。
【００８７】
この場合、放送局側あるいは通信回線網３のサイト側からは今後分ＥＰＧ情報データしか得られないので、制御回路１４は、まず、今後分ＥＰＧ情報データを今後分ＥＰＧ情報部３２に格納する（Ｓ１１）。
【００８８】
制御回路１４は、計時部２９から現在のカレンダー情報及び時刻情報等の計時情報を得て、今後分ＥＰＧ情報部３２に格納されたＥＰＧ情報データから、放送日と放送終了時刻等を検索して、計時情報により今後分から過去分になるＥＰＧ情報データがあるか否かを判断する（Ｓ１２）。
【００８９】
制御回路１４は、過去分ＥＰＧ情報データになる情報がある場合（Ｓ１２：ＹＥＳ）には、その過去分になるＥＰＧ情報データを過去分ＥＰＧ情報部３１に転送し、過去分になるＥＰＧ情報データがない場合（Ｓ１２：ＮＯ）には、そのままステップＳ１４の処理に進む。
【００９０】
制御回路１４は、さらに、過去分ＥＰＧ保存期間情報部３４に格納された過去分ＥＰＧ保存期間の情報データと計時情報により、過去分ＥＰＧ情報部３１に格納された過去分ＥＰＧ情報データ内に過去分ＥＰＧ情報保存期間を超過する情報があるか否かを判断する（Ｓ１４）。
【００９１】
制御回路１４は、過去分ＥＰＧ情報保存期間を超過する情報がある場合（Ｓ１４：ＹＥＳ）には、その超過するＥＰＧ情報データを過去分ＥＰＧ情報部３１から消去し（Ｓ１５）、過去分ＥＰＧ情報保存期間を超過する情報がない場合（Ｓ１４：ＮＯ）には、そのまま処理を終了する。
【００９２】
図８は、図１の番組予約録画装置２が図２におけるステップ１の処理に用いる過去分ＥＰＧ情報データの保存期間を設定する場合を示すフローチャートである。
【００９３】
制御回路１４は、まず、番組予約録画装置２の使用者が指示入力回路１６により、過去分ＥＰＧ情報データの保存期間を設定する操作入力指示を待ち受ける。これにより、使用者が過去分ＥＰＧ情報データの保存期間の設定を希望しているか否かを判断する（Ｓ２１）。過去分ＥＰＧ情報データの保存期間の設定が指示されない場合（Ｓ２１：ＮＯ）には、再びステップＳ２１で待ち受け動作を続ける。
【００９４】
過去分ＥＰＧ情報データの保存期間の設定が指示された場合（Ｓ２１：ＹＥＳ）には、制御回路１４は、制御情報記録回路１７内の過去分ＥＰＧ保存期間設定情報部３３から過去分ＥＰＧ保存期間を設定するための設定条件の候補を読み出し、その設定条件の候補を画像表示装置４に出力させる（Ｓ２２）。
【００９５】
図９は、図８のステップＳ２２のＥＰＧ過去分保存期間設定画面（ＧＵＩ）の一例を示す図である。
【００９６】
図９において、ＧＵＩ画面のタイトル４１は、「ＥＰＧ情報群保存期間の設定」であり、ＥＰＧ情報保存期間を設定するための設定条件の選択肢４２は「１週間（４２ａ）」、「２週間（４２ｂ）」、「３週間（４２ｃ）」、「４週間（４２ｄ）」の４個である。選択内容表示部４３は、選択肢４２からリモコン信号入力装置あるいはコントロールパネル等の指示入力手段１６による上下操作により選ばれた選択部を表示するもので、ここでは３週間４２ｃの選択部４３ｃが選択されている。中止入力部４４は、設定作業を取りやめる場合に前の状態に戻るための入力ボタンである。決定入力部４５は、選択内容表示部４３で選択されたＥＰＧ情報保存期間を決定する入力ボタンである。
【００９７】
次に、制御回路１４は、番組予約録画装置２の使用者が指示入力回路１６により、設定条件の候補中から使用者が選択した指示入力があったか否かを判断する（Ｓ２３）。使用者が選択した指示入力がない場合（Ｓ２３：ＮＯ）には、そのまま処理を終了する。
【００９８】
制御回路１４は、使用者が選択した指示入力があった場合（Ｓ２３：ＹＥＳ）には、その指示内容の保存期間を、過去分ＥＰＧ情報部３１に格納する過去分ＥＰＧ情報データの保存期間として設定し、その保存期間を過去分ＥＰＧ保存期間情報部３４に格納する（Ｓ２４）。
【００９９】
従って、７のステップＳ１５では、制御回路１４は、過去分ＥＰＧ情報データを、この図９のステップＳ２４の設定と、過去分ＥＰＧ情報データ中の放送終了時刻、放送日等のデータとから算出される保存期間だけ過去分ＥＰＧ情報部３１に格納するが、それ以前のもの、すなわち、保存期間を超過したＥＰＧ情報データについては、過去分ＥＰＧ情報部３１から順次消去する。
【０１００】
以上のように本実施の形態は、次の機能を備えた番組予約録画装置を提供するものである。
（Ａ）現在までに放送された過去の全チャンネルの過去分ＥＰＧ情報データを所定の期間保持する機能。
（Ｂ）今後放送される番組の全チャンネルの今後分ＥＰＧ情報データを保持する機能。
【０１０１】
（Ｃ）不定期の再放送番組で使用者が再放送予定日を認識していない番組を予約録画するために、上記（Ａ）の過去分ＥＰＧ情報データ中から番組を選択（特定）するためのキーワードを抽出し、そのキーワードを用いて（Ｂ）の今後分ＥＰＧ情報データ中から各番組のキーワードを検索し、今後分ＥＰＧ情報データ中からキーワードが一致した番組を予約録画する番組の候補として使用者へ提示し、使用者に選択された候補番組について予約録画の設定を行う機能。また、この場合の今後分ＥＰＧ情報データ中から各番組のキーワードを検索する際の確実性を増加させるため、今後分ＥＰＧ情報データから「再放送」を示すキーワードも併せて検索する機能も有している。
【０１０２】
（Ｄ）周期性あるいは連続性を有している番組を予約録画するために、上記（Ａ）の過去分ＥＰＧ情報データ中からその番組の連続性あるいは周期性を活用してある程度絞り込んだ内容で番組を検索するため、その一連の文字群、あるいは、ある程度組み合わされた文字群をキーワード候補としてキーワードを抽出し、そのキーワードを用いて（Ｃ）と同様な今後分ＥＰＧ情報データ中からの番組を検索する機能。
【０１０３】
（Ｅ）再放送が期待できない番組と内容が類似する番組を予約録画するために、上記（Ａ）の過去分ＥＰＧ情報データ中から比較的広い内容で番組を検索するため、「字種区切り法」で細分割されたキーワードを用いて（Ｃ）と同様な今後分ＥＰＧ情報データ中からの番組を検索する機能。
【０１０４】
このように、本実施の形態では、今後分ＥＰＧ情報データから予約録画する番組の候補を検索するには、例えば、まず「番組タイトル」を検索キーワードとして抽出し、その他に、「番組詳細情報」、「出演者」、及び、「ジャンル」等の番組の付加的情報からキーワードを抽出することで番組の検索精度を高めており、更に、「再放送」を表すキーワードを追加することで、再放送番組の検索精度を向上させている。
【０１０５】
つまり、本実施の形態では、使用者が個人的に興味を有している番組の他に、扱っているテーマや内容あるいは出演者等が流行に合致しており、話題性のある番組についても、キーワード候補を抽出して使用者に選択させ、その選択されたキーワードを用いて今後の番組情報から合致した番組を検索できるので対応が可能になる。
【０１０６】
特に、流行に合致して話題性のある番組等については、使用者がその流行や話題性に気付くのは番組が放送された後の、ある程度の時間が経過した後である場合が多いため、本実施の形態のように過去分ＥＰＧ情報データからキーワードを抽出する作業が有効である。
【０１０７】
また、本実施の形態では、過去分ＥＰＧ情報データからキーワードを抽出する処理が容易にできるため、キーワードを最新の用語等に更新することが容易になり、流行や話題性が変化しても迅速に対応することができる。
【０１０８】
また、本実施の形態では、過去分ＥＰＧ情報データの保持期間を可変設定できるようにしているので、「毎日」、「毎週」等の繰り返し周期の期間に違いが有る場合にも対応でき、いっそう検索精度を向上させることができる。
【０１０９】
また、本実施の形態では、過去分ＥＰＧ情報データからキーワードを抽出し、今後分ＥＰＧ情報データから番組をキーワードにより検索することで、過去に放送された番組と類似する番組を、今後の番組から検索する場合の検索精度を向上させることができ、シリーズ番組あるいは定期番組等の検索精度も向上させることができ、さらに不定期の番組についても検索精度も向上させることができる。
【０１１０】
また、本実施の形態では、制御回路１４あるいは制御情報記録回路１７は、従来の番組予約録画装置に用いられているマイクロプロセッサやメモリ素子等を使用して構成することができ、番組データ記録回路１２と制御情報記録回路の共用も可能である。また、キーワードを設定するために、ワードプロセッサ等の高価な付加機能あるいは付加装置は必要なく、過去分ＥＰＧ情報データから抽出したキーワードを選択し、そのキーワードで今後分ＥＰＧ情報データから番組を検索するのみであるので、装置の寸法や重量の増加あるいはコストの増加を抑制することができる。
【０１１１】
従って、本実施の形態では、使用者の嗜好の詳細データとなるキーワードを、容易にかつ簡単な構成で入力処理が可能であり、さらに更新処理も可能であり、その嗜好の詳細データにより容易に使用者の嗜好する番組を予約録画することができる。
【０１１２】
実施の形態２．
図１０は、本発明の実施の形態２の番組予約録画装置を示すブロック図である。
図１０の番組予約録画装置２ａが、図１に示した実施の形態１の番組予約録画装置２と異なる点は、画像表示装置１９が番組予約録画装置２ａに内蔵されており、そのため、番組データ出力回路１３に代えて画像表示装置４の画像表示内容を制御する表示装置ドライブ回路１８が備えられ、制御回路１４内でも出力制御部２３に代えて表示装置ドライブ回路１８を制御するための画像表示制御部３０が備えられた点である。
【０１１３】
表示装置ドライブ回路１８は、例えば、装置画像表示装置４が陰極線管（ＣＲＴ）である場合には、実施の形態１の番組データ出力回路１３の出力からＣＲＴのラスター偏向を行う信号を生成するための偏向系回路のドライブ回路となる。また、図示しないスピーカーを駆動するための音声回路をドライブするための機能も有する。
【０１１４】
その他の構成は実施の形態１と同様である。また、本実施の形態も、実施の形態１と同様な過去分ＥＰＧ情報データから抽出したキーワードを選択し、そのキーワードで今後分ＥＰＧ情報データから番組を検索する動作が可能となる。
【０１１５】
従って、本実施の形態の番組予約録画装置でも、実施の形態１と同様な効果を得ることが可能となる。
【０１１６】
実施の形態３．
図１１は、本発明の実施の形態３の番組予約録画装置を示すブロック図である。
図１１の番組予約録画装置２ｂが、図１に示した実施の形態１の番組予約録画装置２と異なる点は、番組データ記録装置５が番組予約録画装置２ｂの外部に接続される外付けタイプになり、そのため、制御回路１４内の番組記録制御部２２に代えて、番組データ記録回路５を制御するための制御入出力端子を有する番組記録制御部２２ａが備えられた点である。
【０１１７】
番組データ記録装置５は、例えば、外部に接続可能なビデオテープレコーダ、ＨＤＤ、ＤＶＤ等のように不揮発性の長時間記録装置であり、番組記録制御部２２ａから出力される録画制御用の信号（例えば、赤外線によるリモートコントロール信号）により制御される。
【０１１８】
制御入出力端子は、例えば、不図示の赤外線等のリモコン信号発生装置とリモコン信号出力装置に接続されているものである。
【０１１９】
番組記録制御部２２ａは、制御入出力端子を介して番組データ記録装置５の録画開始、録画終了の制御を行う。また、番組予約録画装置２ｂの出力が目的の番組の受信チャンネルでない場合には、番組データ記録装置５の受信チャンネルを予約録画する特定チャンネルに変更する。その他の構成は実施の形態１と同様である。
【０１２０】
また、本実施の形態も、実施の形態１および２と同様な過去分ＥＰＧ情報データから抽出したキーワードを選択し、そのキーワードで今後分ＥＰＧ情報データから番組を検索する動作が可能となる。
【０１２１】
従って、本実施の形態の番組予約録画装置でも、実施の形態１と同様な効果を得ることが可能となる。
【０１２２】
【発明の効果】
本発明は、以上説明したように構成されているので、以下に示すような効果を奏する。
【０１２３】
本発明の番組予約録画装置は、過去分ＥＰＧ情報データからキーワードを抽出する処理が容易にできるため、キーワードのアップデータが容易になり、流行や話題性が変化しても迅速に対応することができ、再放送を示すキーワードを用いることでいっそう検索精度を向上させることができる。また、過去に放送された番組と類似する番組を今後の番組から検索する場合の検索精度を向上させることができ、シリーズ番組、定期番組や連続番組の検索精度も向上させることができ、さらに不定期の番組についても検索精度も向上させることができる。また、流行に合致して話題性のある番組等流行や話題性が変化しても迅速に対応することができ、「毎日」、「毎週」等の繰り返し周期の期間に違いが有る場合にも対応でき、装置の寸法や重量の増加あるいはコストの増加を抑制することができる。また、使用者の詳細な嗜好データをキーワードとして容易にかつ簡単な構成で入力あるいは更新処理が可能であり、その嗜好データにより容易に使用者の嗜好する番組を予約録画することができる。
【図面の簡単な説明】
【図１】本発明の実施の形態１の番組予約録画装置を示すブロック図である。
【図２】図１の番組予約録画装置を用いて使用者が嗜好する番組の予約録画を設定する場合の動作を示すフローチャートである。
【図３】図３は図２のステップＳ３の過去分ＥＰＧ情報からキーワードを抽出しさらに使用者に選択させてから格納する処理における情報の例を示す図である。
【図４】図４は図２のステップＳ３の過去分ＥＰＧ情報からキーワードを抽出しさらに使用者に選択させてから格納する処理における情報の例を示す図である。
【図５】図５は図２のステップＳ４の今後分ＥＰＧ情報からキーワードを検出しステップＳ５で今後分ＥＰＧ情報からキーワードが一致する番組を検出する処理における情報の例を示す図である。
【図６】図６は図２のステップＳ４の今後分ＥＰＧ情報からキーワードを検出しステップＳ５で今後分ＥＰＧ情報からキーワードが一致する番組を検出する処理における情報の例を示す図である。
【図７】図１の番組予約録画装置が放送局側あるいは通信回線網のサイト側からは今後分ＥＰＧ情報データしか得られない場合の図２におけるステップ１の処理を示すフローチャートである。
【図８】図１の番組予約録画装置が図２におけるステップ１の処理に用いる過去分ＥＰＧ情報データの保存期間を設定する場合を示すフローチャートである。
【図９】図８のステップＳ２２のＥＰＧ過去分保存期間設定画面（ＧＵＩ）の一例を示す図である。
【図１０】本発明の実施の形態２の番組予約録画装置を示すブロック図である。
【図１１】本発明の実施の形態３の番組予約録画装置を示すブロック図である。
【符号の説明】
１  アンテナ、  ２、２ａ、２ｂ  番組予約録画装置、  ３  通信回線網、  ４  画像表示装置、  ５  番組データ記録装置、  １１  放送受信回路、  １２番組データ記録回路、  １３  番組データ出力回路、  １４  制御回路、  １５  通信制御回路、  １６  指示入力回路、  １７  制御情報記録回路、  ２１受信制御部、  ２２  番組記録制御部、  ２３  出力制御部、  ２４  キーワード一致制御部、  ２５  キーワード抽出部、  ２６  キーワード検索部、  ２７  入力制御部、  ２８  記録回路制御部、  ２９  計時部、  ３１  過去分ＥＰＧ情報部、  ３２  今後分ＥＰＧ情報部、  ３３  過去分ＥＰＧ保存期間設定情報部、  ３４  過去分ＥＰＧ保存期間情報部、  ３５  キーワード抽出用情報部、  ３６  抽出キーワード部、  ３７  予約録画番組情報部、  ３８  予約録画時間情報部。
【図１】
2004193943.tif 000003
【図２】
2004193943.tif 000004
【図３】
2004193943.tif 000005
【図４】
2004193943.tif 000006
【図５】
2004193943.tif 000007
【図６】
2004193943.tif 000008
【図７】
2004193943.tif 000009
【図８】
2004193943.tif 000010
【図９】
2004193943.tif 000011
【図１０】
2004193943.tif 000012
【図１１】
2004193943.tif 000013